(57)【要約】【課題】急激な炉内圧力の変動に対応することができ、且つダンパによる圧力損失を低減する炉内圧力調節方法及び炉内圧力調節装置を提供する。【解決手段】本発明に係る炉内圧力調節装置４０は、炉内の気体を炉外に送出するための誘引送風機３５と、誘引送風機３５の吸い込み口側に位置するダンパ３４とを備えた焼却システム３０の炉内の圧力を調節するための炉内圧力調節装置４０であって、炉内の圧力に基づいてダンパ３４の開度を調節する調節器４１と、ダンパ３４の開度を平均化処理するとともに、誘引送風機３５の回転数を制御する演算器４２と、を有する。演算器４２は、平均化処理されたダンパ３４の開度と予め設定された所定値とを比較し、比較結果に基づいて、ダンパ３４の開度が所定値に近づくように、誘引送風機３５の回転数を制御する。【選択図】図１
2015210035.tif 000002
【特許請求の範囲】
【請求項１】
炉内圧力を調節するように構成された誘引送風機と、前記誘引送風機の吸い込み口側に位置するダンパとを備えた焼却炉の炉内の圧力を調節するための炉内圧力調節装置であって、
前記炉内の圧力に基づいてダンパの開度を調節する調節部と、
前記ダンパの開度を平均化処理する演算部と、
前記誘引送風機の回転数を制御する制御部と、を有し、
前記演算部は、前記平均化処理された前記ダンパの開度と予め設定された所定値とを比較し、
前記制御部は、前記演算部の比較結果に基づいて、前記平均化処理されたダンパ開度が前記所定値に近づくように、前記誘引送風機の回転数を制御する、炉内圧力調節装置。
【請求項２】
前記演算部は、前記ダンパの開度の単純移動平均値を演算する、請求項１に記載された炉内圧力調節装置。
【請求項３】
前記所定値は、５０％以上７０％以下の値である、請求項１又は２に記載された炉内圧力調節装置。
【請求項４】
前記制御部は、前記炉内の圧力が変動している間に前記誘引送風機の回転数を常に変動させる、請求項１ないし３のいずれか一項に記載された炉内圧力調節装置。
【請求項５】
炉内圧力を調節するように構成された誘引送風機と、前記誘引送風機の吸い込み口側に位置するダンパとを備えた焼却炉の炉内の圧力を調節するための炉内圧力調節方法であって、
前記炉内の圧力に基づいてダンパの開度を調節する調節工程と、
前記ダンパの開度の値を平均化処理する演算工程と、
前記誘引送風機の回転数を制御する制御工程と、を有し、
前記演算工程は、前記平均化処理された前記ダンパの開度の値と予め設定された所定値とを比較する工程を有し、
前記制御工程は、前記演算工程での比較結果に基づいて、前記平均化処理された前記ダンパ開度の値が前記所定値に近づくように、前記誘引送風機の回転数を制御する、炉内圧力調節方法。
【請求項６】
前記演算工程は、前記ダンパの開度の単純移動平均値を演算する、請求項５に記載された炉内圧力調節方法。
【請求項７】
前記所定値は、５０％以上７０％以下の値である、請求項５又は６に記載された炉内圧力調節方法。
【請求項８】
前記制御工程は、前記炉内の圧力が変動している間に前記誘引送風機の回転数を制御する、請求項５ないし７のいずれか一項に記載された炉内圧力調節方法。
【発明の詳細な説明】
【技術分野】
【０００１】
本発明は、平衡通風により運用される廃棄物の焼却炉等の炉内の圧力を調節する炉内圧力調節装置及び炉内圧力調節方法に関する。
【背景技術】
【０００２】
焼却炉は、炉内圧力を制御するために、炉内の空気を炉外に送出して炉内圧力を調節可能な誘引送風機と誘引送風機により送出される空気量を調節するためのコントロールダンパを備えている。従来、焼却炉では炉内圧力が検知され、この検知された炉内圧力に基づいてコントロールダンパの開度及び／又は誘引送風機の回転数を、炉内圧力が一定となるように調節することが知られている。
【０００３】
例えば、平衡通風式の燃料ボイラにおいて、負荷（燃焼量）に応じた空気量指令に基づいてダンパの予定開度と誘引送風機予定回転数とを設定し、ダンパ開度が予定開度となるように、炉内圧力に基づくダンパ開度指令とダンパ予定開度との偏差を演算して誘引送風機の回転数を補正することが知られている（特許文献１参照）。
【０００４】
上記燃料ボイラでは、負荷が急変する場合には、入口ダンパの開度制御によって炉内圧を迅速に制御している。一方で、負荷変動中には、誘引送風機の回転数の過調整による不安定さを抑制するために、信号切替器を使用して誘引送風機の回転数補正信号を出さないようにしている。即ち、この制御方法では負荷が変動している間は誘引送風機の回転数が補正されず、入口ダンパの開度制御のみによって炉内圧が制御されるので、炉内圧を制御するために入口ダンパの開度が圧力損失の大きい範囲まで調節される場合がある。
【０００５】
また、炉内圧力を一定にするために誘引ファンの回転数を制御するとともに、調節弁の開度を制御し、圧力調整計の出力（回転数制御指令）が所定範囲を超えないようにする、焼却炉の炉内圧力の調整方法が知られている（特許文献２参照）。
【０００６】
しかしながら、この方法では、炉内圧は誘引ファンの回転数により制御し、圧力調整計の出力が所定範囲を超える場合にのみ調節弁の開度の制御が行われるので、急激な炉内圧変動に対応することが難しい。また、調節弁の開度の範囲についての記載はないが、調節弁の開度が小さい場合は調節弁の圧力損失が大きくなり、誘引ファンの消費動力が大きくなることがある。
【０００７】
また、排ガス用ダンパと誘引送風機とを有する廃棄物焼却炉の炉内圧制御装置において、排ガス用ダンパの開度が許容範囲を超えたとき、排ガス用ダンパの開度が許容範囲内に設定された基準開度に向かうように誘引送風機の回転数を調節することが知られている（特許文献３参照）。この炉内圧制御装置では、排ガス用ダンパの開度が基準開度に到達したときに、誘引送風機の回転数の変更が停止される。
【０００８】
しかしながら、この炉内圧力制御装置では、排ガス用ダンパの開度は許容範囲内の全範囲で変動し、開度が許容範囲を超えて初めて回転数が変更される。また、排ガス用ダンパの開度が許容範囲内の中央値である基準開度に到達すると、誘引送風機の回転数は固定され、再び排ガス用ダンパの開度が許容範囲を超えるまではその回転数が維持される。したがって、誘引送風機の回転数の変更が断続的に行われることになるので、誘引送風機の回転数が省エネの観点から適切な回転数に常に制御されるわけではない。また、排ガス用ダンパの開度の許容範囲が線形動作範囲に設定されているので、ダンパにおける圧力損失が大きくなる。
【０００９】
コントロールダンパの圧力損失は、その開度に影響される。このため、コントロールダンパの開度が圧力損失の小さい開度（例えば開度５０％から７０％程度）に維持されることが好ましい。しかしながら、上述従来技術では、コントロールダンパによる圧力損失を小さくすることは考慮されていない。
【００１０】
以上のように、従来は、急激な炉内圧力変動に対応することができ、且つダンパによる圧力損失を小さくすることができる技術は存在しなかった。
【先行技術文献】
【特許文献】
【００１１】
【特許文献１】特公昭６２−１７１２６号公報
【特許文献２】特開平６−１１１２６号公報
【特許文献３】特許第３５２３４４２号明細書
【発明の概要】
【発明が解決しようとする課題】
【００１２】
本発明は上記問題に鑑みてなされたものであり、その目的は、急激な炉内圧力の変動に対応することができ、且つダンパによる圧力損失を低減する炉内圧力調節方法及び炉内圧力調節装置を提供することである。
【課題を解決するための手段】
【００１３】
上記目的を達成するため、本発明の第１形態に係る炉内圧力調節装置は、炉内圧力を調節するように構成された誘引送風機と、前記誘引送風機の吸い込み口側に位置するダンパとを備えた焼却炉の炉内の圧力を調節するための炉内圧力調節装置であって、前記炉内の圧力に基づいてダンパの開度を調節する調節部と、前記ダンパの開度を平均化処理する演算部と、前記誘引送風機の回転数を制御する制御部と、を有し、前記演算部は、前記平均化処理された前記ダンパの開度と予め設定された所定値とを比較し、前記制御部は、前記演算部の比較結果に基づいて、前記平均化処理されたダンパ開度が前記所定値に近づくように、前記誘引送風機の回転数を制御する。
【００１４】
上記目的を達成するため、本発明の第２形態に係る炉内圧力調節装置は、第１形態に係る炉内圧力調節装置において、前記演算部が、前記ダンパの開度の単純移動平均値を演算する。
【００１５】
上記目的を達成するため、本発明の第３形態に係る炉内圧力調節装置は、第１形態又は第２形態に係る炉内圧力調節装置において、前記所定値が、５０％以上７０％以下の値である。
【００１６】
上記目的を達成するため、本発明の第４形態に係る炉内圧力調節装置は、第１形態ないし第３形態のいずれかに係る炉内圧力調節装置において、前記制御部が、前記炉内の圧力が変動している間に前記誘引送風機の回転数を常に変動させる。
【００１７】
上記目的を達成するため、本発明の第５形態に係る炉内圧力調節方法は、炉内圧力を調節するように構成された誘引送風機と、前記誘引送風機の吸い込み口側に位置するダンパとを備えた焼却炉の炉内の圧力を調節するための炉内圧力調節方法であって、前記炉内の圧力に基づいてダンパの開度を調節する調節工程と、前記ダンパの開度の値を平均化処理する演算工程と、前記誘引送風機の回転数を制御する制御工程と、を有し、前記演算工程は、前記平均化処理された前記ダンパの開度の値と予め設定された所定値とを比較する工程を有し、前記制御工程は、前記演算工程での比較結果に基づいて、前記平均化処理され
た前記ダンパ開度の値が前記所定値に近づくように、前記誘引送風機の回転数を制御する。
【００１８】
上記目的を達成するため、本発明の第６形態に係る炉内圧力調節装置は、第５形態に係る炉内圧力調節方法において、前記演算工程が、前記ダンパの開度の単純移動平均値を演算する。
【００１９】
上記目的を達成するため、本発明の第７形態に係る炉内圧力調節装置は、第５形態又は第６形態に係る炉内圧力調節方法において、前記所定値が、５０％以上７０％以下の値である。
【００２０】
上記目的を達成するため、本発明の第８形態に係る炉内圧力調節装置は、第５形態ないし第７形態のいずれかに係る炉内圧力調節方法において、前記制御工程が、前記炉内の圧力が変動している間に前記誘引送風機の回転数を制御する。
【発明の効果】
【００２１】
本発明によれば、急激な炉内圧力の変動に対応することができ、且つダンパによる圧力損失を低減する炉内圧力調節方法及び炉内圧力調節装置を提供することができる。
【図面の簡単な説明】
【００２２】
【図１】本実施形態に係る炉内圧力調節装置を備えた焼却システムにおける気体の流れを示す概略図である。
【図２】本実施形態に係る炉内圧力調節方法を示すフロー図である。
【図３】Ａ施設の炉内圧力調節結果を示すグラフである。
【図４】Ｂ施設の炉内圧力調節結果を示すグラフである。
【発明を実施するための形態】
【００２３】
以下、本発明の実施形態について図面を参照して説明する。図１は、本実施形態に係る炉内圧力調節装置を備えた焼却システムにおける気体の流れを示す概略図である。図示のように、焼却システム３０は、例えば、炉本体３１と、炉本体３１内の圧力を検知するための圧力計３７と、炉本体３１からの排気ガスの温度を低下させる減温装置３２と、温度が低下した排気ガスを処理する排気ガス処理装置３３と、炉本体３１内の排気ガス等の気体を炉外に送出するための誘引送風機３５と、誘引送風機３５により誘引された排気ガスを炉外に排出するための煙突３６と、を備えている。さらに、焼却システム３０は、誘引送風機３５の吸い込み口側に、誘引送風機３５で誘引する空気量を制御するためのダンパ３４を備えている。
【００２４】
本実施形態に係る炉内圧調節装置４０は、ダンパ３４の開度を調節する調節計４１（調節部）と、ダンパ３４の開度の値を平均化処理する演算器４２（演算部及び制御部）と、を備える。演算器４２は、誘引送風機３５と電気的に接続され、誘引送風機３５の回転数を制御可能に構成される。
【００２５】
調節計４１は、圧力計３７が検知した炉本体３１内の圧力値ＰＶを受信し、この圧力値ＰＶと炉内圧力設定値ＳＶｐに基づいて、ダンパ３４の開度を調節するダンパ操作信号ＭＶｄをダンパ３４に送信する。
【００２６】
演算器４２は、ダンパ３４の開度の値ＰＶｄを、ダンパ３４から受信可能に構成される。本実施形態においては、演算器４２は、ダンパ３４からダンパ３４の開度の値ＰＶｄを所定時間毎（例えば１秒毎）に受信し、このダンパ３４の開度の値を平均化処理する。ここで平均化処理とは、受信したダンパ３４の開度の複数の値を平均化して値を算出するこ
とをいい、例えば、単純移動平均等の移動平均処理をいう。本実施形態では、単純移動平均を行うものとするが、これに限らず、加重移動平均や指数移動平均等を行ってもよい。また、受信したダンパ３４の開度の値ＰＶｄのうち所定値以上及び／又は所定値以下の値を処理対象から除外するようにフィルタ処理を行い、フィルタ処理されたダンパ３４の開度の値ＰＶｄに移動平均処理を行うようにしてもよい。
【００２７】
なお、演算器４２は、ダンパ３４から開度の値ＰＶｄを受信するように構成されているが、これに限らず、ダンパ操作信号ＭＶｄを調節計４１から受信するように構成されていてもよい。
【００２８】
次に、焼却システム３０における気体の流れを説明する。焼却システム３０の炉本体３１には、廃棄物５３が投入され、炉本体３１内で焼却される。炉本体３１には、押込送風機５１及び二次送風機５２から燃焼を行わせるために必要な気体（空気）が送風され、炉本体３１に投入された廃棄物５３の燃焼が行われる。
【００２９】
炉本体３１で発生した燃焼排ガス等を含む気体は、誘引送風機３５によって減温装置３２及び排ガス処理装置３３を介して煙突３６に導かれる。これにより、炉本体３１内は大気圧よりも低い圧力（負圧）に常に維持される。炉本体３１内の圧力は圧力計３７により計測され、炉内圧力値ＰＶが炉内圧力信号発信器３７ａから調節計４１に送信される。調節計４１は、受信した炉内圧力値ＰＶと炉内圧力設定値ＳＶｐとの偏差に基づいて、ＰＩＤ（Ｐｒｏｐｏｒｔｉｏｎａｌ  Ｉｎｔｅｇｒａｌ  Ｄｅｒｉｖａｔｉｖｅ）制御によりダンパ３４の開度を調節する。
【００３０】
演算器４２は、ダンパ３４の開度の値ＰＶｄを所定時間毎に受信し、これらを平均化処理する。演算器４２は、平均化処理されたダンパ３４の開度の値ａｖｅ．ＰＶｄとダンパ開度平均値の設定値ＳＶｄとの偏差に基づいて、誘引送風機３５の回転数を制御する。炉本体３１内の排ガスの排気量（流量）は、ダンパ３４の開度及び誘引送風機３５の回転数によって調節される。したがって、炉本体３１の炉内圧力ＰＶは、ダンパ３４の開度及び誘引送風機３５の回転数によって調節されることになる。
【００３１】
次に、図１に示した炉内圧力調節装置４０による炉内圧力調節方法について説明する。
図２は、本実施形態に係る炉内圧力調節方法を示すフロー図である。
【００３２】
まず、炉本体３１の炉内圧力ＰＶが、圧力計３７により計測され、計測された炉内圧力ＰＶが炉内圧力信号発信器３７ａから調節計４１に送られる（ステップＳ１１）。調節計４１は、受信した炉内圧力ＰＶが、予め設定された炉内圧力設定値ＳＶｐより小さいか否かを判定する（ステップＳ１２）。なお、炉内圧力設定値ＳＶｐは、例えば調節計４１内部のメモリに予め記憶されており、その値は例えば−１ｋＰａ（ゲージ圧）といった負圧に設定される。
【００３３】
調節計４１は、炉内圧力ＰＶと炉内圧力設定値ＳＶｐとの偏差に対する比例動作、積分動作、及び微分動作、つまりＰＩＤ動作によりダンパ３４にダンパ操作信号ＭＶｄを送信する。したがって、炉内圧力ＰＶが炉内圧力設定値ＳＶｐより小さいと判定された場合は（ステップＳ１２，Ｙｅｓ）、調節計４１は、炉内圧力ＰＶを炉内圧力設定値ＳＶｐに近づけるように（炉内圧力を増加させるように）、ダンパ３４の開度を閉じる方向の開度操作信号ＭＶｄをダンパ３４に送信し、ダンパ３４の開度を小さくする（ステップＳ１３）。
【００３４】
一方で、炉内圧力ＰＶが炉内圧力設定値ＳＶｐより小さくない（大きい）と判定された場合は（ステップＳ１２，Ｎｏ）、調節計４１は、炉内圧力ＰＶを炉内圧力設定値ＳＶｐ
に近づけるように（炉内圧力を減少させるように）、ダンパ３４の開度を開く方向の開度操作信号ＭＶｄをダンパ３４に送信し、ダンパ３４の開度を大きくする（ステップＳ１４）。
【００３５】
ダンパ３４の開度が調節された後（ステップＳ１３，Ｓ１４）、再度炉本体３１の炉内圧力ＰＶが計測され、これに基づいて同様のダンパ３４の開度調節が繰り返され、ダンパ開度は連続して調節される（ステップＳ１１〜ステップＳ１４）。
【００３６】
ダンパ３４の開度の値ＰＶｄが、ダンパ３４から演算器４２に送信される（ステップＳ２１）。したがって、ステップＳ１１からステップＳ１４によるダンパ３４の開度制御が繰り返される毎に、ダンパ３４の開度の値ＰＶｄが演算器４２に送信される。
【００３７】
演算器４２は、受信したダンパ３４の開度の値ＰＶｄに対して単純移動平均処理を行い、ダンパ開度平均値ａｖｅ．ＰＶｄを算出する（ステップＳ２２）。移動平均処理は、例えば１０秒間以上３０分間以下の間に取得した直近のダンパ開度の値に対して行うことができる。
ステップＳ１３又はステップＳ１４において、調節計４１からダンパ３４に送信されるダンパ操作信号ＭＶｄを同時に演算器４２にも送信するようにしてもよい（ステップＳ２１）。
【００３８】
続いて、演算器４２は、算出されたダンパ開度平均値ａｖｅ．ＰＶｄが予め設定されたダンパ開度設定値ＳＶｄより小さいか否かを判定する（ステップＳ２３）。なお、ダンパ開度設定値ＳＶｄは、例えば、演算器４２内部のメモリに予め記憶されており、その値は５０％以上７０％以下の値に設定される。ダンパ開度平均値ａｖｅ．ＰＶｄが５０％より小さいとダンパ３４による圧力損失が大きくなり、またダンパ開度平均値ａｖｅ．ＰＶｄが７０％より大きいとダンパ３４における圧力損失が小さすぎてダンパ３４による炉内圧力調節ができなくなる。このため、本実施形態では、ダンパ３４の開度の平均値ａｖｅ．ＰＶｄが、５０％以上７０％以下に設定されたダンパ開度設定値ＳＶｄに近づくように、誘引送風機３５の回転数を制御する。
【００３９】
演算器４２は、ダンパ開度平均値ａｖｅ．ＰＶｄとダンパ開度設定値ＳＶｄとの偏差に比例動作、積分動作、及び微分動作、つまりＰＩＤ動作を行う。続いて演算器４２は、ダンパ開度平均値ａｖｅ．ＰＶｄとダンパ開度設定値ＳＶｄとの差が小さくなるように、ＰＩＤ動作がなされた偏差に対応する誘引送風機３５の回転数操作信号ＭＶｒを送信する。したがって、ダンパ開度平均値ａｖｅ．ＰＶｄがダンパ開度設定値ＳＶｄより小さいと判定された場合は（ステップＳ２３，Ｙｅｓ）、演算器４２は、ダンパ開度平均値ａｖｅ．ＰＶｄを大きくするようにダンパ開度設定値ＳＶｄとの偏差に応じて誘引送風機３５の回転数を減少させる回転数操作信号ＭＶｒを誘引送風機３５に送信し、誘引送風機３５の回転数を下げる（ステップＳ２４）。誘引送風機３５の回転数を下げることにより、炉内圧力が高くなる。炉内圧力を低い状態にするために、調節計４１によりダンパ３４の開度を開く方向のダンパ操作信号ＭＶｄがダンパ３４に送信される（ステップＳ１２、Ｓ１４）。これにより、ダンパ３４の開度の平均値ａｖｅ．ＰＶｄが大きくなるように調節され、ダンパ３４により炉内圧力の調節を適切に行うことのできるダンパ開度設定値ＳＶｄに近づくことになる。
【００４０】
一方で、ダンパ開度平均値ａｖｅ．ＰＶｄがダンパ開度設定値ＳＶｄより小さくない（大きい）と判定された場合は（ステップＳ２３，Ｎｏ）、演算器４２は、ダンパ開度平均値ａｖｅ．ＰＶｄとダンパ開度設定値ＳＶｄとの偏差に応じて誘引送風機３５の回転数を増やす回転数操作信号ＭＶｒを誘引送風機３５に送信し、誘引送風機３５の回転数を上げる（ステップＳ２５）。誘引送風機３５の回転数を上げることにより炉内圧力が低くなる
。炉内圧力を高い状態にするために、調節計４１によりダンパ３４の開度を閉じる方向のダンパ操作信号ＭＶｄをダンパ３４に送信される（ステップＳ１２、Ｓ１３）。これにより、ダンパ３４の開度の平均値ａｖｅ．ＰＶｄが小さくなるように調節され、ダンパ３４により炉内圧力の調節を適切に行うことのできるダンパ開度設定値ＳＶｄに近づくことになる。
【００４１】
誘引送風機３５に回転数操作信号ＭＶｒが送信されて（ステップＳ２４，２５）、誘引送風機３５の回転数が制御されると、新たに受信したダンパ３４の開度の値に対して移動平均処理が行われる（ステップＳ２１，Ｓ２２）。このようにして、ステップＳ２１からステップＳ２５までの処理が繰り返される。
【００４２】
図３及び図４は、ストーカ炉やキルン炉等に比較して炉内圧力変動の大きな流動床式焼却炉において、図２に示した炉内圧力調節方法で調節された誘引送風機３５の回転数操作信号ＭＶｒ、ダンパ３４のダンパ操作信号ＭＶｄ、及び炉内圧力を示すグラフであり、図３はＡ施設における結果を示し、図４はＡ施設とは異なるＢ施設における結果を示す。これらのグラフでは、横軸が時刻を示し、縦軸が誘引送風機３５の回転数操作信号ＭＶｒ（最大回転数に対する割合、％）、ダンパ３４のダンパ操作信号ＭＶｄ（％）及び炉内圧力（ｋＰａ）を示している。また、図３及び図４に示される回転数操作信号ＭＶｒは、直近の１５秒間に取得したダンパ３４の開度を平均化処理したダンパ開度の移動平均値に基づいて発信された回転数操作信号を示している。本実施例は流動床式焼却炉に本発明を適用した例であるが、本実施例に限らず本発明はストーカ炉やキルン炉等の他の炉形式にも適用できる。
【００４３】
図３及び図４に示すように、炉内圧力が上がると、ダンパ３４が開くように（開度が大きくなるように）ダンパ操作信号ＭＶｄが送信される。一方で、炉内圧力が下がると、ダンパ３４が閉まるように（開度が小さくなるように）ダンパ操作信号ＭＶｄが送信される。即ち、ダンパ操作信号ＭＶｄは、炉内圧力を示すグラフに追従するように類似した形状となる。
【００４４】
また、ダンパ３４の開度の平均値ａｖｅ．ＰＶｄが設定値ＳＶｄより小さいときは誘引送風機３５の回転数を下げる回転数操作信号ＭＶｒが送信され、ダンパ３４の開度の平均値ａｖｅ．ＰＶｄが設定値より大きいときは誘引送風機３５の回転数を上げる回転数操作信号ＭＶｒが送信される。これにより、ダンパ３４の開度の平均値ａｖｅ．ＰＶｄが５０％以上７０％以下の設定値ＳＶｄに近づくように調節される。
【００４５】
上述したように、特許文献３に記載された炉内圧制御装置では誘引送風機の回転数の変更が断続的に行われる。これに対して、図３及び図４に示されるように、本実施形態に係る炉内圧力調節装置４０及び炉内圧力調節方法によれば、炉内の圧力が変動している間、即ちダンパ３４の開度が調節されている間、ダンパ３４の開度の平均値ａｖｅ．ＰＶｄが圧力損失の小さい開度（設定値）になるように、誘引送風機３５の回転数が常に調節され、変動する。これにより、誘引送風機３５の消費電力をより低減することができる。
【００４６】
以上で説明したように、本実施形態に係る炉内圧力調節装置４０及び炉内圧力調節方法によれば、ダンパ３４の開度が炉内圧力に基づいて調節されるので、急激な炉内圧力の変動に対応することができる。また、ダンパ３４の開度の値が平均化処理され、平均化処理されたダンパ３４の開度の値に基づいて誘引送風機３５の回転数が制御される。このため、炉内圧力が急変してダンパ３４の開度が一時的に大きく又は小さくなったときでも、この一時的な開度の値による誘引送風機３５の回転数に対する影響を少なくすることができる。したがって、誘引送風機３５の回転数を一時的な開度の値に追従させることなく、誘引送風機３５に適切な制御を行うことができ、ダンパ３４の開度を圧力損失の小さい値に
近づけることができる。ひいては、焼却施設においてダンパ３４による圧力損失を小さくすることができ、全体の消費動力のうち比較的大きな割合を占める誘引送風機３５の消費動力を低減することができる。
【００４７】
本実施形態に係る炉内圧力調節装置４０及び炉内圧力調節方法によれば、平均化処理されたダンパ３４の開度ａｖｅ．ＰＶｄと所定のダンパ開度設定値ＳＶｄとの偏差に応じて、誘引送風機３５の回転数を制御する。これにより、誘引送風機３５の回転数の変化によって、ダンパ３４の開度の平均値ａｖｅ．ＰＶｄを圧力損失の小さい所定値に近づけることができる。したがって、焼却施設においてダンパ３４による圧力損失を小さくすることができ、全体の消費動力のうち比較的大きな割合を占める誘引送風機３５の消費動力を低減することができる。
【００４８】
本実施形態に係る炉内圧力調節装置４０及び炉内圧力調節方法においては、所定のダンパ開度設定値ＳＶｄが、圧力損失の小さい５０％以上７０％以下の値であり、ダンパ３４の開度の平均値ａｖｅ．ＰＶｄがこの値に近づくように調節される。このため、ダンパ３４における圧力損失を低減することができる。
【００４９】
以上、本発明の実施形態について説明したが、上述した発明の実施の形態は、本発明の理解を容易にするためのものであり、本発明を限定するものではない。本発明は、その趣旨を逸脱することなく、変更、改良され得るとともに、本発明にはその等価物が含まれることはもちろんである。また、上述した課題の少なくとも一部を解決できる範囲、または、効果の少なくとも一部を奏する範囲において、特許請求の範囲及び明細書に記載された各構成要素の任意の組み合わせ、又は省略が可能である。
【符号の説明】
【００５０】
３０…焼却システム
３１…炉本体
３４…ダンパ
３５…誘引送風機
３７…圧力センサ
４０…炉内圧力調節装置
４１…調節器
４２…演算器
【図１】
2015210035.tif 000003
【図２】
2015210035.tif 000004
【図３】
2015210035.tif 000005
【図４】
2015210035.tif 000006